(57)【要約】      （修正有）【課題】  健康を改善する効果がある健康改善法を実施するための遠赤外線照射装置及びその作動方法を提供する。【解決手段】  半円筒状体１１，１２と、前記半円筒状体の内面に設けられた、９．４〜９．８μｍの遠赤外線を放出する発熱体１０と、発汗を検出する発汗検出手段１４と、覚醒・睡眠を判断する覚醒判断手段１５と、前記発汗検出手段と前記覚醒判断手段により検出された結果に基づいて前記発熱体を制御する制御手段１６と、体表温度を検出する体温検出手段１７と、前記体温検出手段で検出した体表温度に基づいて酵素を摂取する時間であることを通知する通知手段１８と、を備えることを特徴とする遠赤外線照射装置。【選択図】  図１
2007082591.tif 000002
【特許請求の範囲】
【請求項１】
半円筒状体と、
前記半円筒状体の内面に設けられた、９．４〜９．８μｍの遠赤外線を放出する発熱体と、
発汗を検出する発汗検出手段と、
覚醒・睡眠を判断する覚醒判断手段と、
前記発汗検出手段と前記覚醒判断手段により検出された結果に基づいて前記発熱体を制御する制御手段と、
体表温度を検出する体温検出手段と、
前記体温検出手段で検出した体表温度に基づいて酵素を摂取する時間であることを通知する通知手段と、
を備えることを特徴とする遠赤外線照射装置。
【請求項２】
前記発汗検出手段が発汗を検出し、前記覚醒判断手段が覚醒を判断し、検出された発汗と判断に基づいて前記発熱体を制御する工程と、前記体温検出手段が体表温度を検出し、検出された体表温度に基づいて酵素を摂取する時間であることを通知する工程とを備えた、請求項１記載の遠赤外線照射装置の作動方法。
【発明の詳細な説明】
【技術分野】
【０００１】
本発明は、健康改善法を実施するための遠赤外線照射装置及びその作動方法に関する。
【背景技術】
【０００２】
現代は、おいしい食べ物、便利な電化製品、充実した交通機関等々、生活が豊かになった反面、生活習慣病、慢性疾患、その他体の不調に悩む人が増えていている。これらを解決するために、さまざまな健康改善法が医療と併用して行われている。
【０００３】
従来より、遠赤外線を全身に浴びせ、血行、発汗を促進させるサウナが健康に大変良いものであることが知られている。遠赤外線は表面だけでなく、体の深部まで浸透していく熱線である。遠赤外線を浴びると、体の中で共振作用がおこり、血液の循環がよくなり、代謝が促進される。また、遠赤外線は、皮脂腺からの汗の排泄を促し、体内に蓄積した有害物質を効果的に排泄することができる。
【０００４】
遠赤外線照射装置としては、例えば、以下のものが開示されている。
【０００５】
特許文献１には、軸方向に入れ子式に接続される複数個の半円筒状体と、前記半円筒状体の内面略全面に設けられた抵抗体としてカーボンブラックを含む面状発熱体とを備えることを特徴とする遠赤外線健康器が開示されている。
【０００６】
特許文献２には、寝身体の上半身と下半身の太さに適合した２個の半円筒型に形成された半円筒状内面体に、２０℃から６５℃の範囲にデジタル方式にて、身体の適合温度にあった状態に６０分間設定して通電加熱し、寝身体の不要な体脂肪や毛根排泄を促進し、数値に弱い高齢者にも温度コントロールを簡単にできることを特徴とするデジタル方式温度コントロール遠赤外線美容健康器が開示されている。
【０００７】
一方、近年、食品として酵素を摂取する健康改善法が注目されている。酵素は、人間生体内で起こる化学反応を触媒する物質であり、摂取することにより、人が本来から有する消化・代謝・免疫機能などを高めることができる。
【特許文献１】特開２０００−１４０１３５
【特許文献２】特開２００４−６５８８４
【発明の開示】
【発明が解決しようとする課題】
【０００８】
遠赤外線及び酵素は、いずれも健康改善に一定の効果が見られるものの、その利用方法は一律であり、生活習慣病、難病、その他さまざまな形態で体の不調を訴える現代人に個別対応できていない。このため、人の体に応じて個別対応ができる健康改善法を実施するための遠赤外線照射装置が望まれている。
【０００９】
本発明では、健康な生活をおくるための土台となる健康改善法を実施するための遠赤外線照射装置を提供することを目的とする。
【課題を解決するための手段】
【００１０】
上記課題に鑑みて鋭意検討した結果、発汗検知手段及び覚醒判断手段を備えることにより、遠赤外線の照射の強度が調節される、健康改善法を実施するための遠赤外線装置を完成させた。健康改善には酵素の補給も不可欠であるため、体を温めながら酵素を摂取できるよう、前記遠赤外線装置に体温検知手段を設けた。すなわち、本発明は以下の通りである。
【００１１】
本発明の請求項１は、半円筒状体と、前記半円筒状体の内面に設けられた、９．４〜９．８μｍの遠赤外線を放出する発熱体と、発汗を検出する発汗検出手段と、覚醒・睡眠を判断する覚醒判断手段と、前記発汗検出手段と前記覚醒判断手段により検出された結果に基づいて前記発熱体を制御する制御手段と、体表温度を検出する体温検出手段と、前記体温検出手段で検出した体表温度に基づいて酵素を摂取する時間であることを通知する通知手段と、を備えることを特徴とする遠赤外線照射装置である。
【００１２】
本発明の請求項２は、前記発汗検出手段が発汗を検出し、前記覚醒判断手段が覚醒を判断し、検出された発汗と判断に基づいて前記発熱体を制御する工程と、前記体温検出手段が体表温度を検出し、検出された体表温度に基づいて酵素を摂取する時間であることを通知する工程とを備えた、請求項１記載の遠赤外線照射装置の作動方法である。
【発明の効果】
【００１３】
本発明の請求項１によれば、適切に遠赤外線を照射することにより、血行を良くし、有害物質を体内から排出できる。また、患者の体にとって適した体温で酵素を摂取することができる。
【００１４】
本発明の請求項２によれば、遠赤外線照射装置を有効に活用できる。
【発明を実施するための最良の形態】
【００１５】
（遠赤外線の照射）
東洋医学では、「冷えは万病の元」と言い、冷えを不健康の指標とする。また、東洋医学では、頭が冷えていて、手足が温かい「頭寒足熱」により、理想的な健康状態がもたされると言われている。血液は全身の隅々に酸素と栄養を供給し、老廃物を回収する大切な働きを有するので、血液の循環が悪いと病気になりやすくなると言われている。現在、冷えの改善のため、体表面に遠赤外線を放射する技術が開発されている（特許文献１、特許文献２）。遠赤外線は表面だけでなく、体の深部まで浸透していく熱線である。遠赤外線を浴びると、体の中で共振作用がおこり、血液の循環がよくなり、代謝が促進される。遠赤外線は、人体の奥まで浸透し、体の中から温めることができる。このとき、一定の体温をすぎると発汗するため、温度管理により発汗寸前の状態を作ることにより人体内の血行促進を最大とすることができる。また、遠赤外線は、３８度以上にあげると、汗腺からの大量の発汗と、皮脂腺からの脂汗という２種類の汗の排泄を促す。これは、遠赤外線は表面だけでなく、体の深部まで浸透していく熱線であり、その遠赤外線温熱によって体が温められると、普通の汗ではあまり出てこない、鉛やカドミウムなどの重金属、ダイオキシン類等の体にとって有害な物質が一緒に排出される。すなわち、遠赤外線は、汗腺からの大量の発汗と、皮脂腺からの脂汗という２種類の汗の排泄を促す。特に、皮脂腺から体内に蓄積した有害物質を効果的に排泄することができ、健康増進に寄与することができる。
【００１６】
（活性酵素を摂取する）
酵素は、生体内で起こる化学反応を触媒する物質である。酵素は、食べたものを体内で消化する、体温や血圧を一定に保って免疫や自然治癒力を維持する、細胞の再生や修復、ホルモンバランスを調整する、体内に侵入した有害物質を解毒・排泄する等の働きをし、生命の活動に欠かすことができないものである。体内酵素が不足すると、栄養が十分に消化や代謝されず、体内の解毒、排泄能力低下、神経伝達やホルモンバランスが崩れてくるようになる。そのことは、やがて免疫力や自然治癒力の低下となる。
【００１７】
生まれた当初は誰しも体内酵素を十分に有するが、食事、疲労、ストレス等の原因によりその量は減少していく。すなわち、加齢とともに酵素は減少していく。加齢による酵素の減少は防ぐことはできないが、食べ物から活性のある酵素を摂取することにより、その減少量を減らすことはできる。そのため、古来より人々は生肉、生魚、生野菜等を摂取し、活性のある酵素を食品として摂取していた。しかし、近年の加熱・加工食品の増加に伴い、食品として摂取できる酵素は急激に減少している。これはタンパク質から構成されている酵素が加熱・加工等により変性するからである。このため、現代人は、普段の食生活で、活性のある酵素を積極的に摂取し、酵素を補給する必要がある。これにより、免疫力や自然治癒力の低下等を回復することができる。
【００１８】
酵素は、タンパク質から構成されていて、その機能を発揮するための至適温度を有し、通常の体温は酵素活性が最も高いと言われている。遠赤外線により体を温める工程によって通常の体温を保持できるため、高い酵素活性を発揮することができる。酵素の摂取による効果と、遠赤外線の放射による効果は、健康改善法として相乗効果が望めるため、健康改善のためには体を温めながら酵素を摂取した方がよい。
【００１９】
（健康改善法）
本発明者は人々の健康状態を改善する健康改善法を見出した。前記健康改善方法は、症状、体質等の各人の背景を元に、遠赤外線を照射することにより、人を発汗させる工程と、遠赤外線を照射することにより、人の体を温める工程と、人が活性酵素を摂取する工程を組み合わせることを特徴とする。
【００２０】
人を発汗させること及び人の体を温めることは、遠赤外線照射装置を用いて、行うことができる。
【００２１】
例えば、遠赤外線照射装置を用いて、覚醒時に遠赤外線を照射することによって、人を発汗させることができる。発汗させることの効果は上記の通りである。遠赤外線照射装置を用いる人の症状によっては、発汗後の冷えた状態は健康に害をもたらすため、発汗をしないように遠赤外線照射装置からの遠赤外線の照射を制御することは有益である。
【００２２】
人体のある部位が冷えているとき、違う部位に熱が移動していることが多い。したがって、症状、体質等の各人の背景を元に、体のどの部位をどのように温めるかを決定する。例えば、遠赤外線照射装置を用いて、覚醒時は発汗させずに遠赤外線を下半身の体表面に照射し、睡眠時は発汗させずに遠赤外線を全身の体表面に照射することによって、人の体を温めることができる。また、全身の体表面ではなく、下半身に限定して照射して、下半身だけを温めてもよい。
【００２３】
遠赤外線により体を温める工程によって通常の体温を保持できるため、高い酵素活性を発揮することができる。体を温めながら、酵素を摂取するのがよい。
【００２４】
これらの健康改善方法は、症状、体質等の各人の背景を元に、適宜選択する。以下に各々の症状に対する本発明の健康改善法の適用について述べる。
（１）癌の症状を有する人
日中は遠赤外線照射装置を用いて遠赤外線を下半身の体表面に照射し、睡眠時は遠赤外線照射装置を用いて、遠赤外線を全身の体表面に照射することにより、人の体を温める。このとき、使用時間と効果は、ほぼ比例するので、適切な時間使用する。食品として、酵素、梅、カルシウムを摂取する。遠赤外線を照射し、発汗をさせることはしない。
（２）糖尿病の症状を有する人
遠赤外線を照射し、体力に応じ週２回から３回発汗する。光線浴として、日中は遠赤外線照射装置を用いて遠赤外線を下半身の体表面に照射し、睡眠時は遠赤外線照射装置を用いて、遠赤外線を全身の体表面に照射することにより、人の体を温める。食品として、酵素と梅とカルシウムを摂取する。
（３）アレルギーの症状を有する人
遠赤外線を照射し発汗させるかどうかは、実際に遠赤外線を照射して確認する。遠赤外線を照射し発汗させる場合は、日中は遠赤外線照射装置を用いて遠赤外線を下半身の体表面に照射し、睡眠時は遠赤外線照射装置を用いて、遠赤外線を全身の体表面に照射することにより、人の体を温めることを行う。食品として、酵素と梅とカルシウムを摂取する。
（４）高血圧の症状を有する人
遠赤外線照射装置を用いて、下半身に遠赤外線を照射し、１５〜３０分ほど温めたら、出て３０分程冷やし又、同じように入る、これの繰り返しを、１日に何度も行う。睡眠時は遠赤外線装置を用いて、遠赤外線を下半身の体表面に照射することにより、人の体を温めることを行う。食品として、酵素と梅とカルシウムを摂取する。
（５）心臓病の症状を有する人
遠赤外線照射装置を用いて、３０〜６０分間発汗させないようにして遠赤外線照射を一日数回行う（重傷者は短時間を１〜２回から）。睡眠時は遠赤外線照射装置を用いて、遠赤外線を下半身の体表面に照射することにより、人の体を温めることを行う。食品として酵素と梅とカルシウムを摂取する。
【００２５】
（健康改善法を実施するための遠赤外線照射装置）
本発明は、前記健康改善方法を実施するための遠赤外線照射装置に関する。
【００２６】
本発明の遠赤外線照射装置は、半円筒状体と、前記半円筒状体の内面に設けられた、９．４〜９．８μｍの遠赤外線を放出する発熱体と、発汗を検出する発汗検出手段と、覚醒・睡眠を判断する覚醒判断手段と、前記発汗検出手段と前記覚醒判断手段により検出された結果に基づいて前記発熱体を制御する制御手段と、体表温度を検出する体温検出手段と、前記体温検出手段で検出した体表温度に基づいて酵素を摂取する時間であることを通知する通知手段と、を備えることを特徴とする。
【００２７】
遠赤外線は、５．６μｍ〜２５μｍの電磁波である。人間の体からは９〜１２μｍの遠赤外線が発せられ、この熱量が体温を保持している。人体から放射されている最も強い波長帯（９．４μｍ〜９．８μｍ）と同じ波長の遠赤外線を照射することにより、共振共鳴作用が高まるため、遠赤外線の効果が最も高くなることがわかった。本発明の遠赤外線照射装置では、通電加熱された黒体カーボンヒーターを含む面状発熱体から遠赤外線を放射する。そして、遠赤外線の波長を９．４μｍ〜９．８μｍとなるように調節する。
【００２８】
本発明の第１実施形態を図１に示す。本実施形態の遠赤外線放射装置は半円筒状体として上部ドーム１１と下部ドーム１２とを備え、これらのドームはスライド収納可能な状態に組み合わされている。黒体カーボンヒーターを含む面状発熱体１０が上部ドーム１１と下部ドーム１２の内面略全面に設けられ、前記発熱体からは遠赤外線が放射される。遠赤外線照射を受ける人は上部ドーム１１と下部ドーム１２及び床の遠赤外線を反射するシート１３によって形成される内部の空間に横たわる。
【００２９】
発汗させずに遠赤外線を照射するためには、遠赤外線装置の発熱体を調節して、遠赤外線装置内の空間の温度を発汗しない温度あるいは発汗直前の温度に調整すればよい。したがって、これにより、体温は３８℃位までの上昇にとどまって、発汗させずに遠赤外線を照射できる。また、遠赤外線装置の発熱体を調節して、遠赤外線装置内の空間の温度を発汗する温度に調整することもできる。前記のように、遠赤外線による皮脂腺からの発汗は、鉛やカドミウムなどの重金属、ダイオキシン類等の体にとって有害な物質を排出する。
【００３０】
本実施形態の遠赤外線照射装置は、発汗検出手段１４を備える。発汗検出手段１４は、上部ドーム１１と下部ドーム１２内にいる前記人の発汗を検出する。発汗検出手段としては、例えば、発汗センサーを用いることができる。発汗センサーは、生体表面に汗が発生すると生体表面の電気抵抗が下がる現象を利用している。つまり、発汗センサー表面に対になった電極を配置し、その間の直流抵抗値を測定することにより、この測定値から発汗量を概算する。発汗検出手段からの信号に基づいて、制御手段１６は、遠赤外線照射装置の発熱体を制御し、遠赤外線照射装置の照射を調節する。すなわち、発汗させずに遠赤外線を照射させる場合、発汗を検出したら、制御手段を通して、発熱体の制御し、照射する遠赤外線を弱めることができる。
【００３１】
また、本実施形態の遠赤外線照射装置は、覚醒判断手段１５を備える。覚醒判断手段１５は、上部ドーム１１と下部ドーム１２内にいる前記人の覚醒・睡眠を判断する。覚醒・睡眠状態を判断するためには、従来から知られている手段を用いることができる。例えば、脳波計を用いて、脳波計を被測定者の頭部に装着し、脳波計が出力する信号を解析して入眠の時期や、睡眠の深さや、覚醒の時期を判断することができる。覚醒判断手段からの信号に基づいて、制御手段１６は、遠赤外線照射装置の発熱体を制御し、遠赤外線の照射の仕方を変える。すなわち、例えば、覚醒時は下部ドーム１２の発熱体からのみ遠赤外線を照射し、睡眠時は上部ドーム１１及び下部ドーム１２の発熱体から遠赤外線を照射する等の照射の仕方の調節が可能である。
【００３２】
さらに、制御手段１６は、遠赤外線照射装置内が所定温度より高い際は、決められた部位の発熱体の電源を切断操作する等の調節をすることにより、遠赤外線照射装置内の温度を調節する。また、遠赤外線照射装置内が所定温度より低い際は、決められた部位の発熱体の電源を入れる等の調節をすることにより、遠赤外線照射装置内の温度を調節する。
【００３３】
また、多数の患者の病歴や体質などのデータをデータベース化すると、このデータベースに基づいて、各人の体質・周囲の環境に合わせ、遠赤外線を照射することが可能となる。制御装置１６は、このデータベースに基づいて、遠赤外線を放射させるようにできる。例えば、患者の発汗を抑えたい場合は、このデータベースに基づいて、制御装置は遠赤外線の照射を制御する。
【００３４】
１７は、体温検出手段であり、上部ドーム１１と下部ドーム１２内にいる前記人の任意の部位の体表温度を測定できる。測定する部位は特に限定はされないが、遠赤外線照射を受ける人の体で最も冷えやすい部位が好ましい。前述のように、酵素は健康改善のために重要なものであるが、体が温まっているときにそれを摂取するのがよい。本発明の遠赤外線照射装置では、体表温度を検出する体温検出手段を備える。これにより、体が温まっているかどうかを知ることができる。患者の体が適した温度であるとき、通知手段１８（例えば、アラーム）により、酵素を摂取するときであることを知らせる。これより、体を温めながら酵素を摂取することができる。
【００３５】
また、本発明の第２実施形態としては、図２のように本発明の遠赤外線装置を机型遠赤外線照射装置と併用する実施形態がある。本実施形態によれば、遠赤外線照射を受ける人は椅子に座り、その背面に本発明の遠赤外線照射装置を設置することにより、遠赤外線を背面に照射することができる。前記遠赤外線照射装置は、第１実施形態と同様に、半円筒状体と、前記半円筒状体の内面に設けられた発熱体と、発汗検出手段と、覚醒判断手段と、制御手段と、体温検出手段と、通知手段から構成される。背面に遠赤外線照射を受けるため、半円筒状体を立てるように設置したことと、半円筒状体を１しか用いていないのが、第１実施形態の遠赤外線照射装置と異なる点である。同時に、前記人の足をあたためるため、机型遠赤外線装置を設置し、机型遠赤外線装置からも座りながら遠赤外線を受ける。これらにより、下半身に遠赤外線を受けながら、机の上で読書やパソコンをすることが可能となる。この方法は、「頭寒足熱」の原則上最も効果的な方法である。
【００３６】
本発明は、前記発汗検出手段が発汗を検出し、前記覚醒判断手段が覚醒を判断し、検出された発汗と判断に基づいて前記発熱体を制御する工程と、前記体温検出手段が体表温度を検出し、検出された体表温度に基づいて酵素を摂取する時間であることを通知する工程とを備えた、請求項１記載の遠赤外線照射装置の作動方法である。それぞれの工程については、上記の通りである。
【図面の簡単な説明】
【００３７】
【図１】本発明の第一実施形態にかかる遠赤外線照射装置の図である。
【図２】本発明の第二実施形態にかかる遠赤外線照射装置の図である。
【符号の説明】
【００３８】
１０  発熱体
１１  上部ドーム
１２  下部ドーム
１３  シート
１４  発汗検出手段
１５  覚醒判断手段
１６  制御手段
１７  体温検出手段
１８  通知手段
【図１】
2007082591.tif 000003
【図２】
2007082591.tif 000004